(57)【特許請求の範囲】
【請求項１】
収納キャビネットに内設した収納ラックと、前記収納ラックを昇降自在に支持する回転アームと、前記収納キャビネットの側板の内側下方に設けられるとともに前記回転アームを回転可能に支持する昇降支持ユニットとを備え、前記収納ラックは、本体とこの本体に連結する両側のラック側板により形成される、第１収納部と、この第１収納部より幅広の第２収納部とを有し、かつ、前記ラック側板は、前記昇降支持ユニットより上方で、前記幅広方向へ段状に屈曲するとともに、前記回転アームは、前記昇降支持ユニットより上方で、前記幅広方向へ曲げられている昇降式収納装置。
【請求項２】
前記回転アームは、前記ラック側板の屈曲に沿って前記幅広方向へ曲げられている請求項１に記載の昇降式収納装置。
【請求項３】
第２収納部の底面と、収納ラックに内設する棚部材とを同等高さに構成した請求項１または２に記載の昇降式収納装置。
【請求項４】
第１収納部の底面は、前面から背面部まで平面形状とした請求項１〜３のいずれか１項に記載の昇降式収納装置。
【請求項５】
回転アームは、略Ｓの字形アームと略Ｌの字形アームの少なくとも２本を備えた請求項１に記載の昇降式収納装置。
【請求項６】
回転アームの先端は、支持部材に枢支した請求項１または５に記載の昇降式収納装置。
【請求項７】
回転アームの支持部材は、第２収納部と連結した請求項１または５、６のいずれか１項に記載の昇降式収納装置。
【請求項８】
回転アームは、収納ラックの傾斜を防止する傾斜補正手段を備えた請求項１または５〜７のいずれか１項に記載の昇降式収納装置。
【発明の詳細な説明】
【０００１】
【発明の属する技術分野】
本発明はキッチンなどで使用する昇降式収納装置に関する。
【０００２】
【従来の技術】
従来この種の昇降式収納装置としては、例えば特開平７−３０３５３４号公報等に記載されるようなものがあり、図４は外観斜視図である。図４に示したように、従来の昇降式収納装置は、収納キャビネット１と、収納キャビネット１内に設けた収納ラック２と、収納ラック２を昇降自在に支持する直線形状からなる回転アーム３、４を有する一対の昇降支持ユニット５とで構成されていた。
【０００３】
収納ラック２は、回転アーム３、４の回動動作により昇降させることができ、昇降操作用のハンドル６を持って収納ラック２を引き降ろすことにより、高所に設置された収納キャビネット１から収納ラック２を降下させて、収納物を低い位置で出し入れすることができるようになっていた。なお、７は回転アーム３、４が同期して回動するように回転アーム３の基部間を連結する連動連結軸である。
【０００４】
【発明が解決しようとする課題】
しかしながら、上記従来の昇降式収納装置では、収納ラック２の幅寸法が主として昇降支持ユニット５の厚みで決定されるとともに、収納ラック２における上下の幅寸法が一定であり、特に昇降支持ユニット５の上方に何ら使用されていない空間が生じて、収納ラック２の収納容積および収納効率の面で収納キャビネット１内を十分に活用していないという課題を有していた。
【０００５】
また、収納ラック２は、回動昇降時に連動連結軸７および収納キャビネット１の底板８との接触を避けるために、収納ラック２の後方下部にコーナー逃がし部９が必要となり、平面的な収納面積が減少するという課題を有していた。
【０００６】
本発明は、上記従来の課題を解決するもので、収納容積を拡大するとともに収納効率の良い昇降式収納装置の提供を目的とする。
【０００７】
【課題を解決するための手段】
上記従来の課題を解決するために、本発明の昇降式収納装置は、収納ラックは、本体とこの本体に連結する両側のラック側板により形成される、第１収納部と、この第１収納部より幅広の第２収納部とを有し、かつ、ラック側板は、昇降支持ユニットより上方で、幅広方向へ段状に屈曲するとともに、回転アームは、昇降支持ユニットより上方で、幅広方向へ曲げられている構成としたものである。これにより収納ラックの幅寸法すなわち収納容積を拡大することができるとともに、収納効率を向上するものである。
【０００８】
【発明の実施の形態】
本発明は、収納キャビネットに内設した収納ラックと、収納ラックを昇降自在に支持する回転アームと、収納キャビネットの側板の内側下方に設けられるとともに回転アームを回転可能に支持する昇降支持ユニットとを備え、収納ラックは、本体とこの本体に連結する両側のラック側板により形成される、第１収納部と、この第１収納部より幅広の第２収納部とを有し、かつ、ラック側板は、昇降支持ユニットより上方で、幅広方向へ段状に屈曲するとともに、回転アームは、昇降支持ユニットより上方で、幅広方向へ曲げられている構成としてあり、収納ラックの幅寸法すなわち収納容積を拡大することができるとともに、収納効率の良い昇降式収納装置を提供することができる。
【００１０】
本発明は、回転アームは、ラック側板の屈曲に沿って幅広方向へ曲げられている構成としてあり、収納ラックの回動昇降時に昇降支持ユニットとの接触を避けることができるとともに、第２収納部の幅寸法を最大限に大きくすることができ、収納キャビネット内の空間を十分に活用することができる。
【００１１】
本発明は、特に第２収納部の底面と収納ラックに内設する棚部材とを同等高さに構成してあり、第２収納部の底面と棚部材間にフラット面を形成することができ、収納物の傾きや転倒を防止することができる。
【００１２】
本発明は、特に第１収納部の底面を前面から背面部まで平面形状とした構成としてあり、コーナー部の収納性が良くなるとともに、収納容積を拡大することができる。
【００１３】
本発明は、特に一方の回転アームを収納キャビネットの底板との接触を回避するために屈曲し、先端を再度逆方向に屈曲した略Ｓの字形アームとするとともに、他方の回転アームを略Ｓの字形アームとの接触を回避するために屈曲した略Ｌの字形アームとした少なくとも２本の回転アームを備えた構成としてあり、収納ラックの昇降時に収納キャビネットに接触することも、両回転アーム同士が干渉することもなく、収納ラックを単なる直線状アームよりも、より低い位置まで降下することができる。
【００１５】
本発明は、特に回転アームの先端を支持部材に枢支した構成としてあり、昇降支持ユニットとして２本の回転アームを所定位置で連結することができ、昇降支持ユニットの搬送性および作業性を向上することができる。
【００１６】
本発明は、特に回転アームの支持部材を第２収納部と連結した構成としてあり、回転アームの枢支点間距離を大きくすることができ、安定した昇降を得ることができるとともに、大きな円弧の回動となり、第１収納部の底面を前面から背面部まで容易に平面形状とすることができる。
【００１７】
本発明は、特に回転アームに収納ラックの傾斜を防止する傾斜補正手段を備えた構成としてあり、収納ラックや収納物の重量によって、収納ラックが傾斜することを補正して、収納物の移動や転倒を防止することができるとともに、外観的にも使用者に安心感を与えることができる。
【００１８】
【実施例】
以下、本発明の実施例について、図１〜図３を参照しながら説明する。
【００１９】
図１は本発明の実施例の昇降式収納装置における収納ラックの降下状態を示す側断面図、図２は同収納装置における収納ラックの格納状態を示す正面図、図３は同収納装置の降下状態を示し、キッチンへの設置例を示す側断面図である。
【００２０】
図１〜図３において、１１はキッチンなどの壁面上方に設置された収納キャビネットであり、この収納キャビネット１１の両側板１２の内側には、前方に収納キャビネット１１の底板１３との接触を回避するために屈曲し、先端を再度逆方向に屈曲した略Ｓの字形状の第１回転アーム１４と、後方に略Ｓの字形アーム１４との接触を回避した略Ｌの字形状の第２回転アーム１５の少なくとも２本が、同一平面上に設置されるとともに、第１回転アーム１４と第２回転アーム１５とを回転可能に枢支する昇降支持ユニット１６が構成され、この昇降支持ユニット１６の一部は上記した側板１２に埋設されている。また、こうして第１回転アーム１４を略Ｓの字形状にすることにより、第２回転アーム１５の先端との接触も回避される。
【００２１】
１７は昇降支持ユニット１６の外部に配設されゴム状の緩衝材１８を有したストッパーであり、第２回転アーム１５の回動角度を規制するように構成される。１９は左右に対向する第１回転アーム１４の基部間を連結する連動連結軸で、この連動連結軸１９により両第１回転アーム１４が同体回動するように構成される。
【００２２】
２０は通常、収納キャビネット１１内に格納される収納ラックで、本体２１とこの本体２１に連結する両サイドのラック側板２２により第１収納部２３と、格納時において昇降支持ユニット１６より上方空間２４には第１、第２回転アーム１４、１５に曲げ加工を加えて、第１収納部２３より幅広に構成した第２収納部２５と、少なくとも二つの収納部を備えている。本体２１は第１収納部２３の底面２６を前面から背面部まで平面形状で構成される。
【００２３】
２７は収納ラック２０に内設される線材よりなる棚部材で、第２収納部２５の底面２８と同等高さに構成される。また、両ラック側板２２間は下方をパイプなどよりなる昇降操作用のハンドル２９で、上方は第２収納部２５の収納高さを規制するコの字形に曲げたパイプなどよりなる横連結部材３０で連結され、本体２１およびラック側板２２の上端をもって収納ラック２０の最上部３１とする。
【００２４】
昇降支持ユニット１６に枢支された第１回転アーム１４および第２回転アーム１５の先端は、支持部材３２に枢支されるとともに、幅広の第２収納部２５を構成するラック側板２２をこの支持部材３２と連結することにより、四辺の平行リンク機構３３が構成され、収納ラック２０は昇降自在に支持されるものである。
【００２５】
また、第１、第２回転アーム１４、１５は、収納ラック２０の傾斜を防止する傾斜補正手段３４を設けている。この傾斜補正手段３４としては、第１回転アーム１４の枢支点間距離Ｒ１を、第２回転アーム１５の枢支点間距離Ｒ２に対し、数mm長く構成している。こうして平行リンク機構３３をわずかに変形させることにより、第１、第２回転アーム１４、１５の枢支点などに隙間が存在するために収納ラック２０や収納物の重量によって発生する収納ラック２０の前方への傾斜を防止するものである。
【００２６】
また、昇降支持ユニット１６の内部には、第２回転アーム１５の回動、すなわち収納ラック２０の昇降に連動作用する緩衝手段３５および付勢手段３６の両方、あるいはいずれか一方が構成されている。（図１にのみ記載）なお、３７は収納キャビネット１１の前方に設けた開閉自在の扉体、３８は開閉用のヒンジである（図３にのみ記載）。
【００２７】
上記の構成において、収納ラック２０の降下時は、使用者がハンドル２９を持って収納ラック２０を引き降ろすと、収納ラック２０は昇降支持ユニット１６が回転可能に枢支する第１、第２回転アーム１４、１５が構成する平行リンク機構３３と傾斜補正手段３４により、常に水平状態で図１に一点鎖線で示す如く円弧状に回動して、最大降下位置に降下される。この時緩衝手段３５、付勢手段３６は、収納ラック２０がゆっくり降下するように作用する。また、図１に二点鎖線で示す如く第１収納部２３の底面２６が連動連結軸１９および収納キャビネット１１の底板１３とも接触しないことがわかる。
【００２８】
ここで上記収納ラック２０は、これを支持する第１、第２回転アーム１４、１５が直線状ではなく略Ｓの字形、略Ｌの字形に屈曲しているとともに、第１、第２回転アーム１４、１５を枢支する支持部材３２を第２収納部２５と連結し枢支点間距離（Ｒ１、Ｒ２）を大きく構成しているので、大きく降下させることができる。すなわち収納ラック２０を支持する第１、第２回転アーム１４、１５が屈曲しているため、これらが収納キャビネット１１の底板１３に接触する位置が直線状のアームに比べるとかなり低い位置となり、収納ラック２０はその最上部３１が収納キャビネット１１の底板１３の位置よりも低い位置まで降下させることができる。
【００２９】
この実施例では、ストッパー１７によって収納ラック２０は、その最上部３１が収納キャビネット１１の底板１３の高さと略同等高さで停止するように構成されている。
【００３０】
そして、収納ラック２０の最大降下位置で収納物を出し入れした後、収納ラック２０の上昇格納時は、再度ハンドル２９を持って収納ラック２０を押し上げると、収納ラック２０は降下時と同様に円弧状に回動して、収納キャビネット１１内でストッパー１７により所定位置で停止し格納されるものである。この時付勢手段３６は、収納ラック２０を上昇する際の操作力が小さくなるように作用する。
【００３１】
次に本発明の昇降式収納装置の設置例について説明する。
【００３２】
図３に示すように、収納キャビネット１１は、標準的なウォールキャビネットを想定し、外形寸法で高さ７００mm、奥行３５０mmを採用した。収納キャビネット１１の標準設置高さは、昇降式収納装置の下方に設置するフロアキャビネット３９などとの距離的な関係で、床面４０から収納キャビネット１１の天板４１まで２３００mm前後が一般的である。また、この収納キャビネット１１に格納される収納ラック２０および横連結部材３０の総高さ（Ａ）は、約６００mmである。
【００３３】
収納ラック２０の最大降下位置において、収納ラック２０の最上部３１と収納キャビネット１１の底板１３の高さを、略同等高さに構成すると、収納キャビネット１１の底板１３から第１収納部２３の底面２６までの距離（Ｂ）は、４５０mm前後となる。
【００３４】
したがって、収納ラック２０の最大降下位置において、床面４０から第１収納部２３の底面２６までの距離（Ｃ）は、１１５０mm前後となる。また、同じく床面４０から横連結部材３０までの距離（Ｄ）は、１７５０mm前後となる。また、この時第２収納部２５の底面２８および棚部材２７の高さは、床面４０から１４００mm前後となり、成人女性（老人を除く）の約９０％の目線と同等高さになるように構成されている。
【００３５】
出し入れ可能な高さは、およそ両腕を上げた状態の親指の高さまでであり、指関節までの高さとすることができる。成人女性（老人を除く）では、指先までの高さ（上肢拳上指先端高）から指先の長さ（第三指長）を引いた１０パーセンタイル値は１８００mmであり、すなわち、本昇降式収納装置の設置例では、約９０％の成人女性が収納ラック２０の最上部３１以上、横連結部材３０まで手が届き、収納物を出し入れすることができるとともに、収納ラック２０の全収納容積を有効に活用することができる。
【００３６】
以上のように、昇降支持ユニット１６の一部を収納キャビネット１１を形成する側板１２に埋設したことにより、収納ラック２０の幅寸法すなわち収納容積を拡大することができるとともに、収納効率の良い昇降式収納装置を提供することができる。
【００３７】
また、収納ラック２０に第１収納部２３と第１収納部２３より幅広の第２収納部２５を備えたことにより、第２収納部２５の収納容積も拡大することができるとともに、さらに収納効率の良い昇降式収納装置を提供することができる。
【００３８】
また、第２収納部２５を昇降支持ユニット１６の上方空間２４に備えたことにより、図１に二点鎖線で示す如く収納ラック２０の回動昇降時に昇降支持ユニット１６との接触を避けることができるとともに、第２収納部２５の幅寸法を最大限に大きくすることができ、収納キャビネット１１内の空間を十分に活用することができる。
【００３９】
また、第２収納部２５の底面２８と収納ラック２０に内設する棚部材２７とを同等高さに構成したことにより、第２収納部２５の底面２８と棚部材２７間にフラット面を形成することができ、収納物の傾きや転倒を防止することができる。
【００４０】
また、第１収納部２３の底面２６を前面から背面部まで平面形状としたことにより、コーナー部の収納性が良くなるとともに、収納容積を拡大することができる。
【００４１】
また、第１回転アーム１４を収納キャビネット１１の底板１３との接触を回避するために屈曲し、先端を再度逆方向に屈曲した略Ｓの字形アームとするとともに、第２回転アーム１５を略Ｓの字形アーム１４との接触を回避するために屈曲した略Ｌの字形アームとした少なくとも２本の回転アーム１４、１５を備えたことにより、収納ラック２０の昇降時に収納キャビネット１１に接触することも、両回転アーム１４、１５同士が干渉することもなく、収納ラック２０を単なる直線状アームよりも、より低い位置まで降下することができる。
【００４３】
また、第１、第２回転アーム１４、１５の先端を支持部材３２に枢支したことにより、昇降支持ユニット１６として２本の回転アーム１４、１５を所定位置で連結することができ、昇降支持ユニット１６の搬送性および作業性を向上することができる。
【００４４】
また、第１、第２回転アーム１４、１５の支持部材３２を第２収納部２５と連結したことにより、回転アーム１４、１５の枢支点間距離（Ｒ１、Ｒ２）を大きくすることができ、安定した昇降を得ることができるとともに、大きな円弧の回動となり、上記したように第１収納部２３の底面２６を前面から背面部まで容易に平面形状とすることができる。
【００４５】
また、第１、第２回転アーム１４、１５に収納ラック２０の傾斜を防止する傾斜補正手段３４を備えたことにより、収納ラック２０や収納物の重量によって、収納ラック２０が傾斜することを補正して、収納物の移動や転倒を防止することができるとともに、外観的にも使用者に安心感を与えることができる。
【００４６】
【発明の効果】
以上のように、本発明によれば、収納キャビネットに内設した収納ラックと、収納ラックを昇降自在に支持する回転アームと、収納キャビネットの側板の内側下方に設けられるとともに回転アームを回転可能に支持する昇降支持ユニットとを備え、収納ラックは、本体とこの本体に連結する両側のラック側板により形成される、第１収納部と、この第１収納部より幅広の第２収納部とを有し、かつ、ラック側板は、昇降支持ユニットより上方で、幅広方向へ段状に屈曲するとともに、回転アームは、昇降支持ユニットより上方で、幅広方向へ曲げられている構成とすることにより、収納ラックの幅寸法すなわち収納容積を拡大することができるとともに、収納効率の良い昇降式収納装置を提供することができる。
【００４７】
また、収納ラックに第１収納部と第１収納部より幅広の第２収納部を備えることにより、第２収納部の収納容積も拡大することができるとともに、さらに収納効率の良い昇降式収納装置を提供することができる。
【図面の簡単な説明】
【図１】本発明の実施例の昇降式収納装置における収納ラックの降下状態を示す側断面図
【図２】同収納装置における収納ラックの格納状態を示す正面図
【図３】同収納装置の降下状態を示し、キッチンへの設置例を示す側断面図
【図４】従来の昇降式収納装置における外観斜視図
【符号の説明】
１１  収納キャビネット
１４  第１回転アーム（略Ｓの字形アーム）
１５  第２回転アーム（略Ｌの字形アーム）
１６  昇降支持ユニット
２０  収納ラック
２３  第１収納部
２４  上方空間
２５  第２収納部
２６  底面（第１収納部）
２７  棚部材
２８  底面（第２収納部）
３２  支持部材
３４  傾斜補正手段
【図１】
0004572494.tif 000002
【図２】
0004572494.tif 000003
【図３】
0004572494.tif 000004
【図４】
0004572494.tif 000005